(57)【特許請求の範囲】
【請求項１】
第１信号を入力して信号変換を行ない第２信号として出力する信号伝送装置であって、信号変換部（マイクロプロセッサ）およびフラッシュロムが搭載された第２プリント基板と、この第２プリント基板の前面に配置され、前記第１，第２信号の少なくとも一方を表示する表示手段が搭載された第１プリント基板と、前記第２プリント基板の信号変換部からの信号を前記表示手段に伝送するコネクタからなり、前記マイクロプロセッサはコネクタ部にＬＣＤが接続されているか、上位システムが接続されているかを判断してそれぞれに対応する制御を行ない、前記フラッシュロムに記載されたプログラムデータを書き換えるに際しては、前記コネクタを分離して前記第１プリント基板を取外し、前記信号変換部の信号を表示手段側に伝送していた端子を前記フラッシュロムの書き換え用端子として用いることを特徴とする信号伝送装置。
【発明の詳細な説明】
【０００１】
【発明の属する技術分野】
本発明は、フィールドバス製品として用いられるデータ伝送装置に関し、更に詳しくは、フラッシュロムを搭載した場合にフラッシュロムの内容書き換えのために必要な端子の削減を図ったデータ伝送装置に関する。
【０００２】
【従来の技術】
例えば温度や圧力センサからの測定信号を入力し４〜２０ｍＡや２〜１０ｍＶの統一信号として上位機種に伝送するための信号伝送装置がある。
図２は従来の信号伝送装置の一例を示す要部構成図である。図において、１は円筒上の筐体、２は筐体１の前面にねじ込まれた窓2aを有する前蓋、３は筐体１の後部にねじ込まれた後蓋である。
【０００３】
この筐体１内は仕切り部1aにより仕切られており、一方の室（図では向って左側）には表面に表示手段４が固定された第１プリント基板５および第２プリント基板７が収納されており、これら第１，第２プリント基板は少なくとも一つのコネクタ６により機械的、電気的に接続されている。なお、図では第２プリント基板７の裏面にコネクタ１６を介して第３プリント基板８が接続されている。
【０００４】
他方の室（図では向って右側）には端子台９が収納されており、図では省略するがセンサからの信号が後蓋３に形成された孔３a，端子９aを介して筐体内に取り込まれ、前述の第２プリント基板７に取付けられたマイクロプロセッサ，ロム等を含む電子素子により所望の信号に変換される。表示手段４は例えば統一信号に変換された４〜２０ｍAの信号を表示する。
【０００５】
【発明が解決しようとする課題】
ところで、このような信号変換装置では表示手段４が搭載された第１プリント基板５は専ら文字、数字を表示するために信号処理回路が設けられ、信号演算は第２プリント基板７および第３プリント基板８に搭載されたマイクロプロセッサやロムにより行なわれる。また、従来は信号演算は固定された内容とされロムに記載された内容を書きかえるということはなされていなかった。
【０００６】
しかしながら、近年ロムに記載されたプログラムの内容をアップグレードしたいという要求が生じる場合があり、その様な場合に備えてロムとして書き換え可能なフラッシュロムが用いられる。
その場合、フラッシュロムの書き換えは例えば上位機種であるパソコンなどを用いて行なうがパソコンとマイクロプロセッサを接続するための専用の接続端子を設ける必要がある。
【０００７】
しかしながら、マイクロプロセッサやロムが搭載されたプリント基板に専用の接続端子を設けるのはスペースの無駄であり、また、ノイズ発生の原因になるという問題があった。
【０００８】
本発明は、上記の問題点を解決するためになされたもので、新たな接続端子を用いることなくフラッシュロムの内容を書きかえることが可能な信号変換装置を提供することを目的としている。
【０００９】
【課題を解決するための手段】
この目的を達成するために、本発明は、請求項１においては、
第１信号を入力して信号変換を行ない第２信号として出力する信号伝送装置であって、信号変換部（マイクロプロセッサ）およびフラッシュロムが搭載された第２プリント基板と、この第２プリント基板の前面に配置され、前記第１，第２信号の少なくとも一方を表示する表示手段が搭載された第１プリント基板と、前記第２プリント基板の信号変換部からの信号を前記表示手段に伝送するコネクタからなり、前記マイクロプロセッサはコネクタ部にＬＣＤが接続されているか、上位システムが接続されているかを判断してそれぞれに対応する制御を行ない、前記フラッシュロムに記載されたプログラムデータを書き換えるに際しては、前記コネクタを分離して前記第１プリント基板を取外し、前記信号変換部の信号を表示手段側に伝送していた端子を前記フラッシュロムの書き換え用端子として用いることを特徴とする。
【００１０】
【発明の実施の形態】
図１（ａ，ｂ）は、本発明の実施形態の一例を示す概略構成図である。図において、５は図2に示す第1プリント基板であり、このプリント基板の表面にはＬＣＤ（液晶表示装置）４が固定されている。また、裏面にはＬＣＤを駆動するための回路（図示省略）のほか、メスの端子を有するＬＣＤコネクタが取付けられている。
【００１１】
７は同じく図2に示す第2プリント基板であり、正面にオスの端子を有するＬＣＤコネクタ６ａ、マイクロプロセッサ２０およびフラッシュロム２１を含む電子回路（図示省略）が形成されている。なお、ＬＣＤに数値などの情報を伝達する信号線は１本であり、線分Ｈはその信号の伝達経路を示している（即ち、実際には線分そのものは存在しない）。
【００１２】
上述の構成において、通常状態では図２に示すように組み立てられ信号伝送とともにＬＣＤに所望の情報が表示される。
次に、フラッシュロムのプログラムの内容をグレードアップしたいとの要求があったとすると、図１（ｂ）に示すように、第１プリント基板５を取外し、従来第２プリント基板７のＬＣＤと接続されていたＬＣＤコネクタ端子（オス）に上位システムであるパソコン２２の端子を接続する。
【００１３】
なお、マイクロプロセッサはコネクタ部にＬＣＤが接続されているか、上位システムが接続されているかを判断してそれぞれに対応する制御を行なうものとする。プログラムデータを書き換えるためのデータ伝送の場合はマイクロプロセッサはデータの受信を可能とし、プログラムデータをフラッシュロム２１に転送する。
【００１４】
プログラムの書き換えはマイクロプロセッサ２０を介して２本の端子を用いて行なうが、もう一本はＬＣＤコネクタの空き端子を利用するか、若しくは１本のみ第２プリント基板７に設けるものとする。
【００１５】
本発明の以上の説明は、説明および例示を目的として特定の好適な実施例を示したに過ぎない。したがって本発明はその本質から逸脱せずに多くの変更、変形をなし得ることは当業者に明らかである。特許請求の範囲の欄の記載により定義される本発明の範囲は、その範囲内の変更、変形を包含するものとする。
【００１６】
【発明の効果】
以上詳細に説明したように、本発明によれば、
第１信号を入力して信号変換を行ない第２信号として出力する信号伝送装置であって、信号変換部（マイクロプロセッサ）およびフラッシュロムが搭載された第２プリント基板と、この第２プリント基板の前面に配置され、前記第１，第２信号の少なくとも一方を表示する表示手段が搭載された第１プリント基板と、前記第２プリント基板の信号変換部からの信号を前記表示手段に伝送するコネクタからなり、前記マイクロプロセッサはコネクタ部にＬＣＤが接続されているか、上位システムが接続されているかを判断してそれぞれに対応する制御を行ない、前記フラッシュロムに記載されたプログラムデータを書き換えるに際しては、前記コネクタを分離して前記第１プリント基板を取外し、前記信号変換部の信号を表示手段側に伝送していた端子を前記フラッシュロムの書き換え用端子として用いるようにしたので、プログラムダウンロード用の専用コネクタを設けなくてもＬＣＤコネクタを介して書き換え可能となり、無駄なスペースを必要とせず、ノイズ発生を防止することができる。
【図面の簡単な説明】
【図１】本発明の実施形態の一例を示す概略構成図である。
【図２】信号伝送装置の一例を示す一部断面図である。
【符号の説明】
１    筐体
２    前蓋
３    後蓋
４    表示手段
５    第１プリント基板
６，１６  コネクタ
７    第２プリント基板
８    第３プリント基板
９    端子台
１０  仕切り部
２０  マイクロプロセッサ
２１  フラッシュロム
２２  上位システム（パソコン）
【図１】
0004224753.tif 000002
【図２】
0004224753.tif 000003